(57)【特許請求の範囲】
【請求項１】
紙幣がセットされ、セットされた紙幣を繰り出す装填部と、
前記装填部で繰り出された紙幣から該紙幣に形成された記番号情報を読み取る読取手段と、を有し、
前記読取手段で記番号情報を読み取り可能な紙幣と、前記読取手段で記番号情報が読み取り不可の紙幣とを分類し、
前記装填部で繰り出された紙幣から該紙幣の画像データを取り込む画像データ取込手段と、
前記読取手段で記番号情報が読み取り不可の紙幣から前記画像データ取込手段が取り込んだ画像データを記憶する画像データ記憶手段と、
記番号情報が入力される入力手段と、
前記読取手段で記番号情報が読み取り不可の紙幣の前記画像データ記憶手段に記憶された画像データに、前記入力手段に入力された記番号情報の画像データを合成する合成手段と、
前記画像データ記憶手段に記憶された画像データを表示させる表示手段と、
を有することを特徴とする紙幣処理装置。
【請求項２】
前記入力手段は、記番号情報として不明な箇所を不明な旨の記号で入力可能であり、
前記合成手段は、不明な旨の記号を含んで前記入力手段に入力された記番号情報の画像データを、前記読取手段で記番号情報が読み取り不可の紙幣の前記画像データ記憶手段に記憶された画像データに合成することを特徴とする請求項１記載の紙幣処理装置。
【請求項３】
前記装填部で繰り出された紙幣から該紙幣の金種を識別する識別部を有し、
前記識別部で金種識別が可能であり且つ前記読取手段で記番号情報を読み取り可能な紙幣を集積させる集積部と、
前記識別部で金種識別が不可の紙幣を排除する第１リジェクト部と、
前記識別部で金種識別が可能であり且つ前記読取手段で記番号情報が読み取り不可の紙幣を排除する第２リジェクト部と、を有することを特徴とする請求項１または２記載の紙幣処理装置。
【請求項４】
前記第２リジェクト部は、前記識別部で金種識別が可能であり且つ前記読取手段で記番号情報を読み取り可能な紙幣を集積させる第２集積部として使用可能であることを特徴とする請求項３記載の紙幣処理装置。
【請求項５】
前記読取手段で記番号情報を読み取り可能であって読み取った記番号情報が排除対象に該当しない紙幣を集積させる集積部と、
前記読取手段で記番号情報を読み取り可能であって読み取った記番号情報が排除対象に該当する紙幣を排除する第１リジェクト部と、
前記読取手段で記番号情報が読み取り不可の紙幣を排除する第２リジェクト部と、を有することを特徴とする請求項１または２記載の紙幣処理装置。
【請求項６】
前記第２リジェクト部は、前記読取手段で記番号情報を読み取り可能であって読み取った記番号情報が排除対象に該当しない紙幣を集積させる第２集積部として使用可能であることを特徴とする請求項５記載の紙幣処理装置。
【発明の詳細な説明】
【技術分野】
【０００１】
本発明は、紙幣処理装置に関する。
【背景技術】
【０００２】
紙葉類処理装置に関して、記番号に基づいて偽券と鑑別された紙幣と、模様に基づいて偽券と鑑別された紙幣とを分けて別々のリジェクト部に排出する点を開示したものがある（例えば、特許文献１参照）。
【先行技術文献】
【特許文献】
【０００３】
【特許文献１】特開２０１３−５０８１１号公報
【発明の概要】
【発明が解決しようとする課題】
【０００４】
紙幣処理装置で排除された紙幣については、その後の取り扱いを決めるために、作業者が目視確認等の確認作業を行って排除理由を判断するようになっている。このように紙幣処理装置が排除した紙幣に対して行う作業の作業者負担の軽減が求められている。
【０００５】
したがって、本発明は、排除した紙幣に関する作業の作業者負担の軽減を図ることができる紙幣処理装置の提供を目的とする。
【課題を解決するための手段】
【０００６】
上記目的を達成するために、請求項１に係る発明は、紙幣がセットされ、セットされた紙幣を繰り出す装填部と、前記装填部で繰り出された紙幣から該紙幣に形成された記番号情報を読み取る読取手段と、を有し、前記読取手段で記番号情報を読み取り可能な紙幣と、前記読取手段で記番号情報が読み取り不可の紙幣とを分類し、前記装填部で繰り出された紙幣から該紙幣の画像データを取り込む画像データ取込手段と、前記読取手段で記番号情報が読み取り不可の紙幣から前記画像データ取込手段が取り込んだ画像データを記憶する画像データ記憶手段と、記番号情報が入力される入力手段と、前記読取手段で記番号情報が読み取り不可の紙幣の前記画像データ記憶手段に記憶された画像データに、前記入力手段に入力された記番号情報の画像データを合成する合成手段と、前記画像データ記憶手段に記憶された画像データを表示させる表示手段と、を有することを特徴とする。
請求項２に係る発明は、請求項１に係る発明において、前記入力手段は、記番号情報として不明な箇所を不明な旨の記号で入力可能であり、前記合成手段は、不明な旨の記号を含んで前記入力手段に入力された記番号情報の画像データを、前記読取手段で記番号情報が読み取り不可の紙幣の前記画像データ記憶手段に記憶された画像データに合成することを特徴とする。
【０００７】
請求項３に係る発明は、請求項１または２に係る発明において、前記装填部で繰り出された紙幣から該紙幣の金種を識別する識別部を有し、前記識別部で金種識別が可能であり且つ前記読取手段で記番号情報を読み取り可能な紙幣を集積させる集積部と、前記識別部で金種識別が不可の紙幣を排除する第１リジェクト部と、前記識別部で金種識別が可能であり且つ前記読取手段で記番号情報が読み取り不可の紙幣を排除する第２リジェクト部と、を有することを特徴とする。
【０００８】
請求項４に係る発明は、請求項３に係る発明において、前記第２リジェクト部は、前記識別部で金種識別が可能であり且つ前記読取手段で記番号情報を読み取り可能な紙幣を集積させる第２集積部として使用可能であることを特徴とする。
【０００９】
請求項５に係る発明は、請求項１または２に係る発明において、前記読取手段で記番号情報を読み取り可能であって読み取った記番号情報が排除対象に該当しない紙幣を集積させる集積部と、前記読取手段で記番号情報を読み取り可能であって読み取った記番号情報が排除対象に該当する紙幣を排除する第１リジェクト部と、前記読取手段で記番号情報が読み取り不可の紙幣を排除する第２リジェクト部と、を有する。
【００１０】
請求項６に係る発明は、請求項５に係る発明において、前記第２リジェクト部は、前記読取手段で記番号情報を読み取り可能であって読み取った記番号情報が排除対象に該当しない紙幣を集積させる第２集積部として使用可能であることを特徴とする。
【発明の効果】
【００１３】
請求項１に係る発明によれば、装填部から繰り出された紙幣のうち、読取手段で記番号情報を読み取り可能な紙幣と、読取手段で記番号情報が読み取り不可の紙幣とを分類する。つまり、作業者による入念な確認作業が必要な、記番号情報そのものが読み取り不可の紙幣を分類することできる。したがって、排除した紙幣に関する作業の作業者負担の軽減を図ることができる。
また、読取手段で記番号情報が読み取り不可の紙幣を目視確認した作業者が、目視確認した記番号情報を入力手段に入力すると、合成手段が、読取手段で記番号情報が読み取り不可の紙幣の画像データ記憶手段に記憶された画像データに、入力手段に入力された記番号情報の画像データを合成する。そして、表示手段が、このように記番号情報の画像データが合成された、記番号情報が読み取り不可の紙幣の画像データを表示させる。これにより、記番号情報の画像データが合成された、記番号情報が読み取り不可の紙幣の画像データを容易に確認可能となる。
請求項２に係る発明によれば、入力手段は、記番号情報として不明な箇所を不明な旨の記号で入力可能であり、合成手段は、不明な旨の記号を含んで入力手段に入力された記番号情報の画像データを、読取手段で記番号情報が読み取り不可の紙幣の画像データに合成する。そして、表示手段が、このように不明な旨の記号を含む記番号情報の画像データが合成された、記番号情報が読み取り不可の紙幣の画像データを表示させる。これにより、不明な旨の記号を含む記番号情報の画像データが合成された、記番号情報が読み取り不可の紙幣の画像データを容易に確認可能となる。
【００１４】
請求項３に係る発明によれば、装填部から繰り出された紙幣のうち、識別部で金種識別が可能であり且つ読取手段で記番号情報を読み取り可能な紙幣を集積部に集積させる。また、装填部から繰り出された紙幣のうち、識別部で金種識別が不可の紙幣を第１リジェクト部に排除する。さらに、装填部から繰り出された紙幣のうち、識別部で金種識別が可能であり且つ読取手段で記番号情報が読み取り不可の紙幣を第２リジェクト部に排除する。よって、作業者による入念な確認作業が必要な、記番号情報そのものが読み取り不可の紙幣を分類することできる。したがって、排除した紙幣に関する作業の作業者負担の軽減を図ることができる。
【００１５】
請求項４に係る発明によれば、第２リジェクト部が、識別部で金種識別が可能であり且つ読取手段で記番号情報を読み取り可能な紙幣を集積させる第２集積部としても使用可能であるため、顧客ニーズに合わせた設定が可能となる。
【００１６】
請求項５に係る発明によれば、装填部から繰り出された紙幣のうち、読取手段で記番号情報を読み取り可能であって読み取った記番号情報が排除対象に該当しない紙幣を集積部に集積させる。また、装填部から繰り出された紙幣のうち、読取手段で記番号情報を読み取り可能であって読み取った記番号情報が排除対象に該当する紙幣を第１リジェクト部に排除する。さらに、装填部から繰り出された紙幣のうち、読取手段で記番号情報が読み取り不可の紙幣を第２リジェクト部に排除する。よって、記番号情報が排除対象に該当する紙幣と、記番号情報そのものが読み取り不可の紙幣とを、分類して排除することができる。つまり、作業者による入念な確認作業が必要でない、記番号情報が排除対象に該当する紙幣と、作業者による入念な確認作業が必要な、記番号情報そのものが読み取り不可の紙幣とを分類することできる。したがって、これらを纏めて排除する場合と比べて、排除した紙幣に関する作業の作業者負担の軽減を図ることができる。
【００１７】
請求項６に係る発明によれば、第２リジェクト部が、読取手段で記番号情報を読み取り可能であって読み取った記番号情報が排除対象に該当しない紙幣を集積させる第２集積部としても使用可能であるため、顧客ニーズに合わせた設定が可能となる。
【図面の簡単な説明】
【００２０】
【図１】本発明の一実施形態に係る紙幣処理装置を正面側から見た概略構成図である。
【図２】本発明の一実施形態に係る紙幣処理装置の制御系のブロック図である。
【図３】本発明の一実施形態に係る紙幣処理装置で処理される記番号情報が読み取り可能な紙幣を示す正面図である。
【図４】本発明の一実施形態に係る紙幣処理装置で処理される記番号情報が読み取り不可な紙幣を示す正面図である。
【図５】本発明の一実施形態に係る紙幣処理装置で処理される一対の記番号情報が不一致の紙幣を示す正面図である。
【図６】本発明の一実施形態に係る紙幣処理装置で処理される仕切シートおよび紙幣ブロックを示す斜視図である。
【図７】本発明の一実施形態に係る紙幣処理装置の操作表示部の表示の一例を示す正面図である。
【図８】本発明の一実施形態に係る紙幣処理装置の操作表示部の表示の別の例を示す正面図である。
【発明を実施するための形態】
【００２１】
本発明の一実施形態に係る紙幣処理装置を図面を参照して以下に説明する。図１に示す本実施形態に係る紙幣処理装置１１は、紙幣Ｓを識別し、その中から正常紙幣以外のリジェクト紙幣を排除しつつ正常紙幣のみを金種別に計数して合計金額を算出する識別処理を行うものである。言い換えれば、正常紙幣とは、紙幣処理装置１１の識別処理にて金種別に計数される紙幣Ｓであり、リジェクト紙幣は、紙幣処理装置１１の識別処理にて計数されずに排除される紙幣Ｓである。この紙幣処理装置１１は、例えば、売上金を計数するために用いられる。
【００２２】
紙幣処理装置１１は、その右側面の下部に設けられて右側方に開口する装填部１２と、同じく右側面の上下方向中間部に設けられて右方に開口する第１リジェクト部１３（リジェクト部）と、第１リジェクト部１３の左方に配置されて装置前面に開口する複数（具体的には６カ所）の第２リジェクト部１４と、対応する第２リジェクト部１４の下方に隣接配置されて装置前面に開口する複数（具体的には６カ所）の集積部１５とを有している。装填部１２には、紙幣Ｓのセットの有無を検知するセット検知センサ１６が設けられている。
【００２３】
複数の第２リジェクト部１４と複数の集積部１５とは、すべて同構造であり、格子の交点位置に位置するように３列４段に整列配置されている。具体的に、右列の最上段に第２リジェクト部１４が、右列の上から２段目にこれに対応する集積部１５が、右列の上から３段目に第２リジェクト部１４が、右列の最下目にこれに対応する集積部１５が、それぞれ設けられている。中間列についても、上から順に、第２リジェクト部１４、これに対応する集積部１５、第２リジェクト部１４、これに対応する集積部１５となっており、左列についても、上から順に、第２リジェクト部１４、これに対応する集積部１５、第２リジェクト部１４、これに対応する集積部１５となっている。
【００２４】
装填部１２には、紙幣Ｓが上下方向に集積された状態でセットされることになり、装填部１２は、セットされた紙幣Ｓを最下のものから一枚ずつ分離し繰り出して紙幣処理装置１１内に取り込む。紙幣処理装置１１の内部には、装填部１２から繰り出された紙幣Ｓを搬送する搬送部２１（集積部，リジェクト部，第１リジェクト部，第２リジェクト部）と、搬送部２１で搬送中の紙幣Ｓの真偽および金種等を識別しつつ計数する識別部２２とが設けられている。
【００２５】
搬送部２１は、識別部２２の識別結果に基づいて紙幣Ｓを第１リジェクト部１３、複数の第２リジェクト部１４および複数の集積部１５のいずれか一つに択一的に振り分ける。搬送部２１は、各部を結ぶように適宜分離して配置されて紙幣Ｓを搬送する搬送路２５と、搬送路２５の各分岐位置に設けられて紙幣Ｓを振り分ける複数の振分部２６とを有している。
【００２６】
第１リジェクト部１３は、装填部１２から繰り出された紙幣Ｓのうち、識別部２２で所定の異常と識別された第１リジェクト紙幣を紙幣処理装置１１外に取り出し可能に排除するものである。第１リジェクト部１３は、搬送部２１から送り込まれる第１リジェクト紙幣を送り込み順（言い換えれば装填部１２の繰り出し順）に下から上に集積させる。第１リジェクト紙幣は、紙幣処理装置１１の識別処理にて金種別に計数されない紙幣Ｓである。
【００２７】
複数の第２リジェクト部１４は、いずれも、装填部１２から繰り出された紙幣Ｓのうち、識別部２２で正常でないと識別された、上記第１リジェクト紙幣とは種類が異なる所定の異常の第２リジェクト紙幣を紙幣処理装置１１外に取り出し可能に排除するものである。複数の第２リジェクト部１４は、いずれも、搬送部２１から送り込まれる第２リジェクト紙幣を送り込み順（言い換えれば装填部１２の繰り出し順）に下から上に集積させる。第２リジェクト紙幣も、紙幣処理装置１１の識別処理にて金種別に計数されない紙幣Ｓである。
【００２８】
複数の集積部１５は、いずれも、装填部１２から繰り出された紙幣Ｓのうち、識別部２２で正常と識別された正常紙幣を紙幣処理装置１１外に取り出し可能に集積させるものである。複数の集積部１５は、いずれも、搬送部２１から送り込まれる正常紙幣を送り込み順（言い換えれば装填部１２の繰り出し順）に下から上に集積させる。ここで、正常紙幣は、紙幣処理装置１１の識別処理にて金種別に計数される紙幣Ｓである。
【００２９】
紙幣処理装置１１の前面には、操作入力を受け付けるとともに情報表示を行う操作表示部３１（入力手段，表示手段，設定手段）が設けられている。また、紙幣処理装置１１の内部には、装填部１２、搬送部２１、識別部２２等の紙幣処理装置１１の各部を制御する制御部３２と、識別の基準となるマスタデータや識別計数結果のデータ等を記憶する記憶部３３（画像データ記憶手段）とが設けられている。なお、記憶部３３に記憶されるデータの一部または全部を、この記憶部３３を含む紙幣処理装置１１とは異なる他のデータベース装置に記憶させ、通信により、データの記憶および読み出しを行うことも可能である。
【００３０】
識別部２２には、紙幣Ｓの両面の画像データを取り込む画像データ取込部４１（読取手段，画像データ取込手段）が設けられている。この画像データ取込部４１は、搬送部２１上を移動する紙幣Ｓの厚さ方向の一側の面の画像をスキャンする一面画像検出部４１Ａと、搬送部２１上を移動する紙幣Ｓの厚さ方向の他側の面の画像をスキャンする他面画像検出部４１Ｂとからなっている。ここで、一面画像検出部４１Ａおよび他面画像検出部４１Ｂとしては例えばＣＣＤカメラやラインセンサ等が用いられる。画像データ取込部４１を構成する一面画像検出部４１Ａおよび他面画像検出部４１Ｂは、制御部３２に接続されており、制御部３２は、一面画像検出部４１Ａおよび他面画像検出部４１Ｂの画像データに基づいて、機外から装填部１２にセットされた紙幣Ｓが、正常紙幣、第１リジェクト紙幣および第２リジェクト紙幣のいずれであるのかと、正常紙幣の金種とを識別し、正常紙幣を金種別に計数して合計金額を算出する。
【００３１】
制御部３２には、図２に示すように、ＯＣＲ部４５（読取手段）が設けられている。ＯＣＲ部４５は、光学式文字読取装置であり、一面画像検出部４１Ａおよび他面画像検出部４１Ｂで検出された紙幣Ｓの画像データから文字情報を読み取り、その中から紙幣Ｓに印刷により形成された図３に示す一対の記番号情報Ｄを抽出する。言い換えれば、画像データ取込部４１およびＯＣＲ部４５は、装填部１２で繰り出された紙幣Ｓからこの紙幣Ｓに形成された一対の記番号情報Ｄを読み取る。なお、一対の記番号情報Ｄは紙幣Ｓの片面にしか形成されていないため、一面画像検出部４１Ａおよび他面画像検出部４１Ｂによる紙幣Ｓの両面の画像検出が必要となる。一面画像検出部４１Ａおよび他面画像検出部４１Ｂの配置は、紙幣Ｓの両面の画像を取り込んで、いずれかの面に形成されている一対の記番号情報Ｄを確実に読み取ることができるものであれば、どのような配置構成を採用しても良い。一対の記番号情報Ｄは、紙幣毎に設定された規定の位置に印刷されている。
【００３２】
記憶部３３には、一面画像検出部４１Ａおよび他面画像検出部４１Ｂで検出された紙幣Ｓの画像データと比較するための基準の金種別のマスタデータが記憶されている。紙幣Ｓの各金種別のマスタデータは、紙幣Ｓの両面の少なくとも模様のデータを含むものであり、模様、色彩および色の濃淡のデータとなっている。模様、色彩および色の濃淡のデータは、紙幣Ｓが正常紙幣であるか否かを判別する際に判別の主体とされる主判別データである。
【００３３】
制御部３２は、制御本体部５０と、搬送制御部５１（集積部，リジェクト部，第１リジェクト部，第２リジェクト部）と、合成部５３（合成手段）と、判定部５４（判定手段）とを有している。搬送制御部５１は、搬送部２１つまり搬送路２５および振分部２６を制御して、装填部１２から繰り出される紙幣Ｓを、判定部５４の判定結果に基づいて、第１リジェクト部１３、複数の第２リジェクト部１４および複数の集積部１５の中から択一的に搬送する。合成部５３は記憶部３３に記憶されるデータまたは記憶部３３に記憶されたデータを加工する。
【００３４】
制御部３２は、その制御本体部５０が、操作表示部３１に入力された、排除対象となるリジェクト紙幣の記番号情報つまり排除記番号情報を記憶部３３に記憶させるようになっている。つまり、制御本体部５０は、操作表示部３１を用いて入力案内がされる設定入力モードにおいて、操作表示部３１を介して排除記番号情報の入力を可能とし、操作表示部３１を介して排除記番号情報が入力されると、これを記憶部３３に記憶させるようになっている。偽券は、同じ記番号情報が形成されたものが複数枚作成されることが多いことから、排除記番号情報として過去に発見された偽券に形成された記番号情報を設定することにより、偽券を見つけ出すことができる。
【００３５】
ここで、排除記番号情報としては、図３に示す紙幣Ｓの記番号情報の番号そのものを特定する情報である数字およびアルファベットの全文字列（例えば、図３の「ＡＢ１２３４５６Ａ」等）の入力は勿論、紙幣Ｓの記番号情報の数字の通し番号を特定する情報である数字列（例えば、図３の「１２３４５６」等）の入力も可能である。また、紙幣の記番号情報の頭記号のアルファベットを特定する情報であるアルファベットの文字あるいは文字列（例えば、図３の「ＡＢ」等）の入力や、全文字列のうちの所定の一部の箇所（例えば、図３の３番目および４番目の「１２」等）の入力も可能であり、紙幣Ｓの記番号の色（例えば「黒」）の選択入力も可能となっている。
【００３６】
制御本体部５０は、排除記番号情報として紙幣Ｓの記番号情報Ｄである数字およびアルファベットの全文字列が入力されると、入力された文字列を排除記番号情報として記憶部３３に記憶させることになり、排除記番号情報として紙幣Ｓの記番号情報Ｄの数字の通し番号の数字列が入力されると、入力された数字列を排除記番号情報として記憶部３３に記憶させることになり、排除記番号情報として紙幣Ｓの記番号情報Ｄの頭記号のアルファベットが入力されると、入力されたアルファベットを排除記番号情報として記憶部３３に記憶させることになり、排除記番号情報として紙幣Ｓの記番号情報Ｄの色が選択入力されると、記番号情報の色を排除記番号情報として記憶部３３に記憶させることになる。勿論、これらを適宜組み合わせて記憶させることも可能である。
【００３７】
以下では、説明の便宜上、排除記番号情報として数字およびアルファベットの全文字列（例えば、図３の「ＡＢ１２３４５６Ａ」等）が入力されて排除記番号情報として記憶部３３に記憶されている場合を例にとり説明する。
【００３８】
判定部５４は、画像データ取込部４１の一面画像検出部４１Ａおよび他面画像検出部４１Ｂで検出された紙幣Ｓの画像データから、この紙幣Ｓが、金種別に計数して集積部１５に集積させる正常紙幣であるか、金種別の計数を行わずに第１リジェクト部１３に排除する第１リジェクト紙幣であるか、金種別の計数を行わずに第２リジェクト部１４に排除する第２リジェクト紙幣であるかを判定する。
【００３９】
具体的に、判定部５４は、画像データ取込部４１の一面画像検出部４１Ａおよび他面画像検出部４１Ｂで検出された紙幣Ｓの画像データから、この紙幣Ｓが、搬送方向に対して所定の角度以上に傾斜している斜行状態にある場合は、第１リジェクト紙幣であると判定する。また、この紙幣Ｓが、直前に画像データ取込部４１で検出された紙幣Ｓに対して所定の距離以内に近づいているニアフィード状態にある場合は、第１リジェクト紙幣であると判定する。つまり、斜行紙幣およびニアフィード紙幣は、いずれもジャムの原因となる可能性が高いため、第１リジェクト紙幣であると判定して、第１リジェクト部１３に排除する。
【００４０】
紙幣Ｓが斜行状態になくニアフィード状態にもない場合、判定部５４は、この紙幣Ｓについて、画像データ取込部４１の一面画像検出部４１Ａおよび他面画像検出部４１Ｂで検出された画像データに含まれる模様、色彩および色の濃淡を含む主判別データを、記憶部３３に記憶された各金種別のマスタデータと比較して、所定の一致度以上で一致する金種のマスタデータがあるか否かを判定する。主判別データが、いずれの金種のマスタデータとも所定の一致度以上で一致しない場合、判定部５４は、この紙幣Ｓが、第１リジェクト紙幣であると判定して、第１リジェクト部１３に排除する。主判別データが、いずれの金種のマスタデータとも所定の一致度以上で一致しない紙幣Ｓは、偽券、汚損券や外国券である。
【００４１】
画像データの主判別データが、いずれかの金種のマスタデータと所定の一致度以上で一致する場合、判定部５４は、この紙幣Ｓについて、この一致するマスタデータの金種の紙幣であると金種を仮判定する。つまり、この紙幣Ｓは、識別部２２の画像データ取込部４１および判定部５４で金種識別が可能な紙幣となる。次に、判定部５４は、この紙幣Ｓについて、ＯＣＲ部４５で一対の記番号情報Ｄを読み取ることができたか否かを判定する。ＯＣＲ部４５で一対の記番号情報Ｄのうちの少なくともいずれか一方を読み取り不可の場合、判定部５４は、この紙幣Ｓが、第２リジェクト紙幣であると判定して第２リジェクト部１４に排除する。
【００４２】
ＯＣＲ部４５で一対の記番号情報Ｄの両方を読み取り可能な場合、判定部５４は、この紙幣Ｓについて、読み取った一対の記番号情報Ｄが互いに一致するか否かを判定する。つまり、この紙幣Ｓに形成された一対の記番号情報Ｄのうちの一方である数字およびアルファベットの全文字列と、他方である数字およびアルファベットの全文字列とがすべて一致するか否かを判定する。一対の記番号情報Ｄが互いに一致しない場合、判定部５４は、この紙幣Ｓが、第１リジェクト紙幣であると判定して、第１リジェクト部１３に排除する。
【００４３】
一対の記番号情報Ｄが互いに一致する場合、判定部５４は、この紙幣Ｓについて、読み取った記番号情報Ｄと一致するものが、記憶部３３に記憶された排除記番号情報の中にあるか否かを判定する。つまり、画像データ取込部４１とＯＣＲ部４５とで読み取った記番号情報Ｄに該当するものが、排除記番号情報の中にある場合、判定部５４は、この紙幣Ｓが、排除対象に該当する第１リジェクト紙幣であると判定して、第１リジェクト部１３に排除する。具体的に、排除記番号情報として、紙幣Ｓの記番号情報Ｄの番号そのものを特定する、例えば「ＡＢ１２３４５６Ａ」の文字列が記憶部３３に記憶されている場合、判定部５４は、画像データ取込部４１で取り込んだ画像からＯＣＲ部４５で読み取った記番号情報Ｄの文字列が、この排除記番号情報である「ＡＢ１２３４５６Ａ」の紙幣を第１リジェクト紙幣であると判定する。
【００４４】
他方、判定部５４は、画像データ取込部４１とＯＣＲ部４５とで読み取った記番号情報Ｄと一致するものが、記憶部３３に記憶された排除記番号情報の中にない場合、この紙幣Ｓが、正常紙幣であると判定して、集積部１５に集積させる。判定部５４は、正常紙幣であると判定した紙幣Ｓのみ、上記のように仮判定した金種を確定し、この金種の紙幣Ｓの計数値を１枚分カウントアップする。他方、判定部５４は、第１リジェクト紙幣であると判定した紙幣Ｓおよび第２リジェクト紙幣であると判定した紙幣Ｓについては、計数値として反映させることはない。
【００４５】
以上により、判定部５４が正常紙幣と判定して集積部１５に集積させる紙幣Ｓは、斜行券ではなく、かつ、ニアフィード券ではなく、かつ、主判別データがマスタデータと所定の一致度以上で一致し（言い換えれば金種識別が可能であり）、かつ、一対の記番号情報Ｄを両方読み取り可能であり、かつ、一対の記番号情報Ｄが互いに一致し、かつ、一対の記番号情報Ｄと一致するものが排除記番号情報の中にないものである。よって、装填部１２から繰り出された紙幣Ｓの中から正常紙幣を集積させる、搬送部２１、集積部１５および搬送制御部５１は、画像データ取込部４１とＯＣＲ部４５とで記番号情報Ｄを読み取り可能であって読み取った記番号情報Ｄが排除対象に該当しない紙幣Ｓを集積させることになり、しかも、判定部５４が一対の記番号情報Ｄが互いに一致すると判定した紙幣Ｓを集積させることになる。また、装填部１２から繰り出された紙幣Ｓの中から正常紙幣を集積させる、搬送部２１、集積部１５および搬送制御部５１は、識別部２２の画像データ取込部４１で金種識別が可能であり且つデータ取込部４１とＯＣＲ部４５とで記番号情報Ｄを読み取り可能な紙幣Ｓを集積させることになる。
【００４６】
また、第２リジェクト紙幣は、斜行券ではなく、かつ、ニアフィード券ではなく、かつ、主判別データがマスタデータと所定の一致度以上で一致し、かつ、図４に示すように、一対の記番号情報Ｄの少なくともいずれか一方を読み取り不可の紙幣Ｓである。よって、装填部１２で繰り出された紙幣Ｓの中から第２リジェクト紙幣を排除する、搬送部２１、第２リジェクト部１４および搬送制御部５１は、画像データ取込部４１とＯＣＲ部４５とで記番号情報Ｄを読み取り不可の紙幣Ｓを排除する。よって、装填部１２で繰り出された紙幣Ｓの中から第２リジェクト紙幣を排除する、搬送部２１、第２リジェクト部１４および搬送制御部５１は、画像データ取込部４１とＯＣＲ部４５とで記番号情報Ｄを読み取り不可の紙幣Ｓを排除することになる。また、装填部１２で繰り出された紙幣Ｓの中から第２リジェクト紙幣を排除する、搬送部２１、第２リジェクト部１４および搬送制御部５１は、識別部２２の画像データ取込部４１で金種識別が可能であり且つ画像データ取込部４１とＯＣＲ部４５とで記番号情報が読み取り不可の紙幣Ｓを排除する。
【００４７】
第１リジェクト紙幣は、正常紙幣および第２リジェクト紙幣を除いたものである。つまり、第１リジェクト紙幣は、斜行券、または、ニアフィード券、または、主判別データがマスタデータと所定の一致度以上に一致しない紙幣を含む。また、第１リジェクト紙幣は、斜行券ではなく、かつ、ニアフィード券ではなく、かつ、主判別データがマスタデータと一致し、かつ、一対の記番号情報Ｄを両方読み取り可能であり、かつ、図５に示すように一対の記番号情報Ｄが互いに不一致の紙幣Ｓを含む。また、第１リジェクト紙幣は、斜行券ではなく、かつ、ニアフィード券ではなく、かつ、主判別データがマスタデータと一致し、かつ、一対の記番号情報Ｄを両方読み取り可能であり、かつ、一対の記番号情報Ｄが互いに一致し、かつ、一対の記番号情報Ｄが排除記番号情報に含まれる紙幣Ｓを含む。よって、装填部１２で繰り出された紙幣Ｓの中から第１リジェクト紙幣を排除する、搬送部２１、第１リジェクト部１３および搬送制御部５１は、画像データ取込部４１とＯＣＲ部４５とで記番号情報Ｄを読み取り可能であって読み取った記番号情報Ｄが排除対象に該当する紙幣Ｓを排除するとともに、判定部５４が一対の記番号情報Ｄが互いに一致しないと判定した紙幣Ｓを排除する。また、装填部１２で繰り出された紙幣Ｓの中から第１リジェクト紙幣を排除する、搬送部２１、第１リジェクト部１３および搬送制御部５１は、斜行紙幣およびニアフィード紙幣を含んで識別部２２の画像データ取込部４１で金種識別が不可の紙幣Ｓを排除する。
【００４８】
紙幣処理装置１１は、図６に示すように、複数枚の紙幣Ｓが厚さ方向に連続的に集積されて一纏めにされた紙幣ブロックＢを、複数ブロック連続して処理可能となっている。一つの紙幣ブロックＢは、例えば口座番号単位に設定される。各紙幣ブロックＢの直前位置には各紙幣ブロックＢを認識するための仕切シートＳ１が設けられる。仕切シートＳ１には、識別のためのバーコード等が印刷されている。
【００４９】
搬送制御部５１は、上記した識別部２２で正常紙幣以外かつ第２リジェクト紙幣以外と識別された第１リジェクト紙幣に加えて、仕切シートＳ１をも搬送部２１で第１リジェクト部１３に搬送させることになる。よって、第１リジェクト部１３は、第１リジェクト紙幣および仕切シートＳ１を紙幣処理装置１１外に取り出し可能に排除することになる。
【００５０】
本実施形態に係る紙幣処理装置１１では、紙幣ブロックＢの装填部１２による繰り出し方向の前側（装填部１２へのセット状態での下側）の直前位置に、直後位置の紙幣ブロックＢを識別するための仕切シートＳ１が配置されるようになっている。つまり、仕切シートＳ１は、紙幣ブロックＢそれぞれの始端を識別するためのスタートカードとなる。なお、これに限らず、紙幣ブロックＢそれぞれの繰り出し方向の後側（装填部１２へのセット状態での上側）の直後位置のみに、直前位置の紙幣ブロックＢを識別するためのエンドカードとして仕切シートＳ１を配置するようにしても良い。あるいは、紙幣ブロックＢそれぞれの繰り出し方向の前後両側に紙幣ブロックＢそれぞれの始端および終端を識別するためのスタートカードおよびエンドカードとして仕切シートＳ１を配置するようにしても良い。
【００５１】
操作表示部３１に識別処理を行う旨の選択操作が入力されると、制御本体部５０は、操作表示部３１に、装填部１２への紙幣Ｓのセットを促す表示を表示させる。操作者は、この表示にしたがって、仕切シートＳ１を対応する紙幣ブロックＢの装填部１２による繰り出し方向前側に配置するようにして、装填部１２にセットする。つまり、仕切シートＳ１、これに対応する紙幣ブロックＢ、別の仕切シートＳ１、これに対応する別の紙幣ブロックＢ、さらに別の仕切シートＳ１、これに対応するさらに別の紙幣ブロックＢ、というように順に集積させて、各紙幣ブロックＢのそれぞれの下側に対応する仕切シートＳ１が位置するように上下に配置して、これらを装填部１２にセットする。
【００５２】
そして、処理開始の操作指示入力が操作表示部３１に入力されると、制御本体部５０は、装填部１２によって最下の仕切シートＳ１から紙幣処理装置１１内への繰り出しを開始させることになり、繰り出された仕切シートＳ１および紙幣Ｓを搬送部２１により搬送させる。搬送部２１で搬送中の仕切シートＳ１および紙幣Ｓは、まず識別部２２で識別されることになる。
【００５３】
識別部２２が１枚目の仕切シートＳ１を検出すると、搬送制御部５１は、この１枚目の仕切シートＳ１を第１リジェクト部１３に搬送する。識別部２２は、１枚目の仕切シートＳ１に続く紙幣Ｓを順次識別する。搬送制御部５１は、搬送部２１を制御して、識別部２２の識別結果から上記の正常紙幣と識別された紙幣Ｓを、３列４段に整列配置された第２リジェクト部１４と集積部１５とのうち、右列上から２段目の集積部１５に、第１リジェクト紙幣を第１リジェクト部１３に、第２リジェクト紙幣を右列最上段の第２リジェクト部１４に、それぞれ搬送する。
【００５４】
識別部２２が２枚目の仕切シートＳ１を検出すると、制御本体部５０は、１枚目の仕切シートＳ１と２枚目の仕切シートＳ１との間にあった紙幣ブロックＢの紙幣Ｓの識別が終了したと判断する。そして、制御本体部５０は、識別部２２の識別結果に基づいて、右列上から２段目の集積部１５に集積したすべての正常紙幣の金種別の計数値および合計金額を割り出して記憶部３３に記憶させる。
【００５５】
搬送制御部５１は、上記のように識別部２２で識別された２枚目の仕切シートＳ１を第１リジェクト部１３に搬送する。識別部２２は、２枚目の仕切シートＳ１に続く紙幣Ｓを順次識別する。搬送制御部５１は、搬送部２１を制御して、識別部２２の識別結果から正常紙幣と識別された紙幣Ｓを、右列最下段の集積部１５に、第１リジェクト紙幣を第１リジェクト部１３に、第２リジェクト紙幣を右列上から３段目の第２リジェクト部１４に、それぞれ搬送する。
【００５６】
識別部２２が３枚目の仕切シートＳ１を検出すると、制御本体部５０は、２枚目の仕切シートＳ１と３枚目の仕切シートＳ１との間にあった紙幣ブロックＢの紙幣Ｓの識別が終了したと判断する。そして、制御本体部５０は、識別部２２の識別結果に基づいて、右列最下段の集積部１５に集積したすべての正常紙幣の金種別の計数値および合計金額を割り出して記憶部３３に記憶させる。
【００５７】
搬送制御部５１は、搬送部２１を制御して、３枚目の仕切シートＳ１を第１リジェクト部１３に、その後に連続する紙幣Ｓのうちの正常紙幣と識別された紙幣を中間列上から３段目の集積部１５に、第１リジェクト紙幣を第１リジェクト部１３に、第２リジェクト紙幣を中間列最上段の第２リジェクト部１４に、それぞれ搬送する。制御部３２は、このような処理を、装填部１２に紙幣Ｓがなくなったことをセット検知センサ１６が検知するまで行う。
【００５８】
装填部１２に紙幣Ｓがなくなったことをセット検知センサ１６が検知すると、制御本体部５０は、今回の識別処理に関連するすべての紙幣ブロックＢの紙幣Ｓを識別し、すべての正常紙幣を計数したと判定して、各紙幣ブロックＢ毎つまり集積部１５毎に、識別部２２の識別に基づく合計金額を操作表示部３１に表示させる。
【００５９】
ここで、第１リジェクト部１３には、仕切シートＳ１と第１リジェクト紙幣とが下から順に集積されており、仕切シートＳ１との位置関係から、各第１リジェクト紙幣がいずれの紙幣ブロックＢから排除されたものであるのかが把握できる。また、各第２リジェクト部１４の第２リジェクト紙幣は、それぞれの下方に隣接する集積部１５に集積された正常紙幣と同じ紙幣ブロックＢから排除されたものとなる。よって、作業者は、識別処理後に、各紙幣ブロックＢのそれぞれについて、正常紙幣、第１リジェクト紙幣および第２リジェクト紙幣を把握可能となっている。
【００６０】
ここで、制御本体部５０は、識別処理中に、画像データ取込部４１の一面画像検出部４１Ａおよび他面画像検出部４１Ｂで検出された紙幣Ｓの画像データを記憶部３３に記憶させている。つまり、識別処理で装填部１２から繰り出されたすべての紙幣Ｓの両面の画像データを記憶部３３に記憶させている。その際に、合成部５３が、第１リジェクト部１３に排除した第１リジェクト紙幣が、一対の記番号情報が互いに一致しないものである場合と、一対の記番号情報が排除記番号情報に含まれる場合とについては、図７に示すように、紙幣の記番号情報形成側の面の画像データＳＤ上の記番号情報の画像データＤＤ１を例えば赤枠の画像データＲで囲んで強調して操作表示部３１に表示させるようにデータを合成する。制御本体部５０は、この合成後の画像データを、記憶部３３に記憶させる。
【００６１】
また、制御本体部５０は、一の識別処理後に、第２リジェクト部１４毎に、記番号情報が読み取り不可の紙幣Ｓの記番号情報形成側の面の画像データを排除順に並べて操作表示部３１に表示させて、作業者に記番号情報の読み取りを促す表示を表示させる。これを見て、作業者は、第２リジェクト部１４から紙幣Ｓを下から順に取り出して、目視確認し、記番号情報が目視で読み取ることができるものについては、操作表示部３１に記番号情報を手入力する。すると、合成部５３は、図８に示すように、手入力された記番号情報の画像データＤＤ２を、これに対応する紙幣の画像データＳＤ上の記番号情報が形成されるべき位置Ｐに重ねて赤文字で表示させるようにデータを合成して、記憶部３３に記憶させる。このとき、記番号情報の一部が目視での読み取り不可の場合、不明な箇所を不明な旨の記号（例えば「？」や「＊」等）で代用して入力可能となっており、合成部５３は、不明な箇所を不明な旨の記号で代用して手入力された記番号情報の画像データ（例えば図８に示す「ＡＢ１？３４５６Ａ」）を、これに対応する紙幣の画像データＳＤ上の記番号情報の形成されるべき位置Ｐに重ねて赤文字で表示させるようにデータを合成する。制御本体部５０は、この合成後の画像データを記憶部３３に記憶させる。手入力された記番号情報の画像データＤＤ２を、これに対応する紙幣の画像データＳＤの枠外位置に表示させるようにデータを合成しても良い。
【００６２】
制御本体部５０は、記番号情報が手入力されると、この記番号情報と一致するものが、記憶部３３に記憶された排除記番号情報の中にあるか否かを判定し、ある場合には、偽券である旨のアラーム表示を操作表示部３１に表示させる。このときも、不明な箇所が不明な旨の記号で代用して入力された記番号情報についても、明確な箇所のみについて、一致するものが、記憶部３３に記憶された排除記番号情報の中にあるか否かを判定し、ある場合には、偽券である旨のアラーム表示を操作表示部３１に表示させる。
【００６３】
作業者は、操作表示部３１に表示された識別結果に基づき、例えば、図示略のオンライン端末を用いて、各紙幣ブロックＢの金額を、それぞれ対応する口座番号の口座に入金する操作を行うことになる。
【００６４】
上記のように、制御本体部５０は、操作表示部３１への操作入力により、記憶部３３から、各識別処理で処理された各紙幣ブロックＢの紙幣の画像データを読み出して、操作表示部３１に表示させるようになっている。この画像データには、記番号情報の異常を強調表示する画像データと、手入力された記番号情報が合成された紙幣の画像データとが含まれる。これにより、記番号情報の異常の強調表示が合成された紙幣の画像データと、手入力された記番号情報が合成された紙幣の画像データとを含む、すべての紙幣の画像データが、後に確認可能となっている。
【００６５】
なお、第２リジェクト部１４と集積部１５とは同構造であり、操作表示部３１への操作入力により行われる紙幣処理装置１１の設定変更処理で、すべての第２リジェクト部１４を、正常紙幣を集積させる集積部１５として使用可能となる。このように第２リジェクト部１４のない設定とした場合、第２リジェクト部１４に排除すべき第２リジェクト紙幣を第１リジェクト部１３に排除することになる。
【００６６】
また、操作表示部３１への操作入力により行われる紙幣処理装置１１の設定変更処理で、各紙幣ブロックＢのそれぞれに対して、集積部１５と第２リジェクト部１４と第３リジェクト部との組を設定しても良い。第３リジェクト部には、例えば、主判別データがマスタデータと所定の一致度以上に一致しない紙幣であって、一対の記番号情報が読み取り可能で互いに一致し、この記番号情報と一致するものが排除記番号情報の中にない紙幣を排除する。この場合、同列の最上段を第２リジェクト部１４とし、同列の上から２段目をこれに対応する第３リジェクト部とし、同列の上から３段目をこれに対応する集積部１５とする。同列の上から３段目に第４リジェクト部をさらに加えて、同列の上から４段目をこれに対応する集積部１５とし、読み取った記番号情報が排除対象に該当する紙幣を第４リジェクト部に排除するようにしても良い。勿論、各段に排除する紙幣の種類は適宜設定することができる。
【００６７】
また、操作表示部３１への操作入力により行われる紙幣処理装置１１の設定変更処理で、上記のように一対の記番号情報の全文字列が互いに一致するか否かで一対の記番号情報が互いに一致するか否かを判定する設定とする以外に、全文字列のうちの所定の一部の共通箇所が一対の記番号情報で互いに一致するか否かによって一対の記番号情報が互いに一致するか否かを判定する設定とすることが可能になっている。この設定では、全文字列のうちの所定の一部の共通箇所が一対の記番号情報で互いに一致すれば、一対の記番号情報が一致すると判定し、全文字列のうちの所定の一部の共通箇所が一対の記番号情報で互いに一致しなければ、一対の記番号情報が一致しないと判定する。ここで、一対の記番号情報の一致を判定するための所定の一部の共通箇所は、操作表示部３１への操作入力により設定可能となっている。例えば、全文字列のうちの３番目と４番目とを所定の一部の共通箇所に設定したり、全文字列のうちの３番目と５番目とを所定の一部の共通箇所に設定したりすることが可能になっている。
【００６８】
さらに、全文字列のうちの複数箇所の所定の一部の共通箇所がすべて、一対の記番号情報で互いに一致すれば、一対の記番号情報が一致すると判定し、全文字列のうちの複数箇所の所定の一部の共通箇所のうちの少なくともいずれか一箇所が、一対の記番号情報で互いに一致しなければ、一対の記番号情報が一致しないと判定する設定とすることが可能となっている。例えば、全文字列のうちの１番目と２番目とを一の所定の一部の共通箇所に設定し、全文字列のうちの５番目と６番目とを他の所定の一部の共通箇所に設定して、両共通箇所がいずれも一致すると一対の記番号情報が一致すると判定する一方、両共通箇所の少なくともいずれか一方が不一致であると一対の記番号情報が不一致であると判定する。
【００６９】
制御部３２は、その合成部５３が、識別処理中に、画像データ取込部４１の一面画像検出部４１Ａおよび他面画像検出部４１Ｂで検出された紙幣Ｓの画像データを記憶部３３に記憶させることになるが、その際に、紙幣Ｓの画像データ上の所定の一部の共通箇所を例えば赤枠で囲んで強調表示させるようにデータを合成して、記憶部３３に記憶させる。つまり、合成部５３は、記憶部３３に記憶される画像データに、一対の記番号情報の一致を判断する際に用いられる所定の一部の共通箇所の強調表示の画像データを合成する。
【００７０】
以上に述べた本実施形態に係る紙幣処理装置１１によれば、装填部１２から繰り出された紙幣Ｓのうち、画像データ取込部４１およびＯＣＲ部４５で記番号情報Ｄを読み取り可能な紙幣Ｓと、画像データ取込部４１およびＯＣＲ部４５で記番号情報Ｄを読み取り不可の紙幣Ｓとを分類する。つまり、作業者による入念な確認作業が必要な、記番号情報Ｄそのものが読み取り不可の紙幣Ｓを分類することできる。したがって、排除した紙幣Ｓに関する作業の作業者負担の軽減を図ることができる。
【００７１】
また、装填部１２から繰り出された紙幣Ｓのうち、識別部２２の画像データ取込部４１で金種識別が可能であり且つ画像データ取込部４１およびＯＣＲ部４５で記番号情報Ｄを読み取り可能な紙幣Ｓを集積部１５に集積させる。また、装填部１２から繰り出された紙幣Ｓのうち、識別部２２の画像データ取込部４１で金種識別が不可の紙幣Ｓを第１リジェクト部１３に排除する。さらに、装填部１２から繰り出された紙幣Ｓのうち、識別部２２の画像データ取込部４１で金種識別が可能であり且つ画像データ取込部４１およびＯＣＲ部４５で記番号情報Ｄが読み取り不可の紙幣Ｓを第２リジェクト部１４に排除する。よって、作業者による入念な確認作業が必要な、記番号情報Ｄそのものが読み取り不可の紙幣Ｓを分類することできる。したがって、排除した紙幣Ｓに関する作業の作業者負担の軽減を図ることができる。
【００７２】
また、第２リジェクト部１４が、識別部２２の画像データ取込部４１で金種識別が可能であり且つ画像データ取込部４１およびＯＣＲ部４５で記番号情報Ｄを読み取り可能な紙幣を集積させる第２集積部としても使用可能であるため、顧客ニーズに合わせた設定が可能となる。
【００７３】
また、装填部１２から繰り出された紙幣Ｓのうち、画像データ取込部４１およびＯＣＲ部４５で記番号情報Ｄを読み取り可能であって読み取った記番号情報Ｄが排除対象に該当しない紙幣Ｓを集積部１５に集積させる。また、装填部１２から繰り出された紙幣Ｓのうち、画像データ取込部４１およびＯＣＲ部４５で記番号情報Ｄを読み取り可能であって読み取った記番号情報Ｄが排除対象に該当する紙幣Ｓを第１リジェクト部１３に排除する。さらに、装填部１２から繰り出された紙幣Ｓのうち、画像データ取込部４１およびＯＣＲ部４５で記番号情報Ｄが読み取り不可の紙幣Ｓを第２リジェクト部１４に排除する。よって、記番号情報Ｄが排除対象に該当する紙幣Ｓと、記番号情報Ｄそのものが読み取り不可の紙幣Ｓとを、分類して排除することができる。つまり、作業者による入念な確認作業が必要でない、記番号情報Ｄが排除対象に該当する紙幣Ｓと、作業者による入念な確認作業が必要な、記番号情報Ｄそのものが読み取り不可の紙幣Ｓとを分類することできる。したがって、これらを纏めて排除する場合と比べて、排除した紙幣Ｓに関する作業の作業者負担の軽減を図ることができる。
【００７４】
また、第２リジェクト部１４が、画像データ取込部４１およびＯＣＲ部４５で記番号情報Ｄを読み取り可能であって読み取った記番号情報Ｄが排除対象に該当しない紙幣Ｓを集積させる第２集積部としても使用可能であるため、顧客ニーズに合わせた設定が可能となる。
【００７５】
また、画像データ取込部４１およびＯＣＲ部４５で記番号情報Ｄが読み取り不可の紙幣Ｓを目視確認した作業者が、目視確認した記番号情報Ｄを操作表示部３１に入力すると、合成部５３が、画像データ取込部４１およびＯＣＲ部４５で記番号情報Ｄが読み取り不可の紙幣Ｓの記憶部３３に記憶された画像データに、操作表示部３１に入力された記番号情報Ｄの画像データを合成する。そして、操作表示部３１が、このように記番号情報Ｄが合成された、記番号情報Ｄが読み取り不可の紙幣Ｓの画像データを表示させる。これにより、記番号情報Ｄの画像データが合成された、記番号情報Ｄが読み取り不可の紙幣Ｓの画像データを容易に確認可能となる。
【００７６】
また、操作表示部３１は、記番号情報として不明な箇所を不明な旨の記号で入力可能であり、合成部５３は、不明な旨の記号を含んで操作表示部３１に入力された記番号情報Ｄの画像データを、画像データ取込部４１およびＯＣＲ部４５で記番号情報Ｄが読み取り不可の紙幣Ｓの画像データに合成する。そして、操作表示部３１が、このように不明な旨の記号を含む記番号情報Ｄが合成された、記番号情報Ｄが読み取り不可の紙幣Ｓの画像データを表示させる。これにより、不明な旨の記号を含む記番号情報Ｄの画像データが合成された、記番号情報が読み取り不可の紙幣Ｓの画像データを容易に確認可能となる。
【００７７】
本実施形態に係る紙幣処理装置１１に係る発明によれば、装填部１２で繰り出された紙幣Ｓから、画像データ取込部４１およびＯＣＲ部４５が、この紙幣Ｓに形成された一対の記番号情報Ｄを読み取ると、判定部５４が、一対の記番号情報Ｄが互いに一致するか否かを判定する。そして、第１リジェクト部１３が、一対の記番号情報Ｄが互いに一致しないと判定した紙幣Ｓを排除する。つまり、真券は、一対の記番号情報Ｄが互いに一致していることに着目し、一対の記番号情報Ｄが互いに一致していない紙幣Ｓを偽券と判断して、第１リジェクト部１３に排除する。したがって、より正確な真偽判定を行うことができる。
【００７８】
また、判定部５４が、一対の記番号情報Ｄの所定の一部の共通箇所が互いに一致するか否かを判定するため、判定処理が容易となり、判定処理時間の短縮化が図れる。
【００７９】
また、操作表示部３１が、所定の一部の共通箇所を選択設定可能であるため、互いに一致するか否かを判定する所定の一部の共通箇所を、出回っている偽券に適正に合わせることができる。
【００８０】
また、合成部５３が、記憶部３３に記憶される画像データに、所定の一部の共通箇所の強調表示の画像データを合成する。そして、操作表示部３１が、このように所定の一部の共通箇所の強調表示が合成された、記番号情報Ｄが読み取り不可の紙幣Ｓの画像データを表示させる。これにより、所定の一部の共通箇所の強調表示が合成された紙幣Ｓの画像データから、一対の記番号情報Ｄの一致を判断する際に用いられた所定の一部の共通箇所が容易に確認可能となる。
【符号の説明】
【００８１】
１１  紙幣処理装置
１２  装填部
１３  第１リジェクト部
１４  第２リジェクト部
１５  集積部
２１  搬送部
２２  識別部
３１  操作表示部（入力手段，表示手段）
３３  記憶部（画像データ記憶手段）
４１  画像データ取込部（読取手段，画像データ取込手段）
４５  ＯＣＲ部（読取手段）
５１  搬送制御部（集積部，第１リジェクト部，第２リジェクト部）
５３  合成部（合成手段）
Ｄ  記番号情報
Ｓ  紙幣
【図１】
0006537173.tif 000002
【図２】
0006537173.tif 000003
【図３】
0006537173.tif 000004
【図４】
0006537173.tif 000005
【図５】
0006537173.tif 000006
【図６】
0006537173.tif 000007
【図７】
0006537173.tif 000008
【図８】
0006537173.tif 000009